(57)【要約】【課題】商品棚の回転機能を備えたオープンショーケースにおいて、商品棚を前方へ引き出すことなく、陳列室内で回転操作可能とする。また、このように商品棚を収納姿勢のままで回転操作できるようにしたことにしたことに伴う、オープンショーケースの全体寸法の増加を最小限化する。【解決手段】商品棚１９を、回転機構１８で回転可能に支持されるメイン棚４１と、該メイン棚４１の左右端部に着脱可能に装着されるサイド棚４２・４２とで構成する。サイド棚４２・４２を取り外したとき、左右側面と干渉することなく、陳列室２内においてメイン棚４１を回転させることができるようにする。【選択図】図１
2009195288.tif 000002
【特許請求の範囲】
【請求項１】
前方開口を有する陳列室（２）と、陳列室（２）内に配されて商品（８）が載置される商品棚（１９）と、商品棚（１９）の荷重を受ける棚受部材（１７）と、陳列室（２）内を冷却するための冷却手段（４）とを具備し、
商品棚（１９）は、棚受部材（１７）に配された回転機構（１８）を介して、水平姿勢を維持しながら回転できるように構成されており、
商品棚（１９）は、回転機構（１８）で回転可能に支持されるメイン棚（４１）と、該メイン棚（４１）の左右端部に着脱可能に装着されるサイド棚（４２・４２）とで構成されており、
回転機構（１８）によるメイン棚（４１）の回転中心（Ｏ）とメイン棚（４１）の最外形部とで規定されるメイン棚（４１）の回転半径（Ｒ１）と、回転中心（Ｏ）とサイド棚（４２）のコーナー部とで規定されるサイド棚（４２）を含む商品棚（１９）の回転半径（Ｒ２）と、回転中心（Ｏ）と陳列室（２）の左右側面（９ａ・９ｂ）との間隔距離（ｄ１）とが、（Ｒ１）＜（ｄ１）＜（Ｒ２）の関係を満たしており、サイド棚（４２・４２）を取り外したとき、左右側面（９ａ・９ｂ）と干渉することなく、陳列室（２）内においてメイン棚（４１）を回転させることができるように構成されていることを特徴とするオープンショーケース。
【請求項２】
陳列室（２）内に収納された後方の収納位置と、陳列室（２）の前方開口から引き出された引き出し位置との間で、商品棚（１９）を前後方向にスライド操作するためのスライド機構（１４）を具備し、
商品棚（１９）を引き出し位置まで引き出したとき、サイド棚（４２・４２）を装着したままで、商品棚（１９）の全体を回転させることができるようになっている請求項１記載のオープンショーケース。
【請求項３】
商品棚（１９）に、各サイド棚（４２）の商品載置面がメイン棚（４１）の左右の側面に沿い、且つ各サイド棚（４２）の左右端面が上方に指向する垂直姿勢で、取り外されたサイド棚（４２・４２）を保持するための姿勢保持構造が設けられている請求項１または２記載のオープンショーケース。
【請求項４】
商品棚（１９）は、左右横長の長方形状のメイン棚（４１）と、該メイン棚（４１）の左右端部に着脱自在に装着される前後横長の長方形状のサイド棚（４２・４２）とで構成されており、
メイン棚（４１）の前後寸法は、サイド棚（４２・４２）の前後寸法と等しく設定されていて、メイン棚（４１）とサイド棚（４２・４２）の商品載置面を面一状としたサイド棚（４２・４２）の使用姿勢において、商品棚（１９）は全体として左右横長の長方形状を呈しており、
前記姿勢保持構造が、メイン棚（４１）の短辺に沿って、該メイン棚（４１）の商品載置面に対して段付き状に凹み形成された、上方に指向する受け面（６１）を有する断面コ字状の凹溝（６０）と、サイド棚（４２・４２）の長辺端部に沿って下向きに突設されて、前記使用姿勢において下向きに指向する第１係合面（７０ａ）と、左右内向きに指向する第２係合面（７０ｂ）とを備える係合部（７０）とで構成されており、
係合部（７０）の第１係合面（７０ａ）の左右方向の幅寸法と第２係合面（７０ｂ）の上下方向の厚み寸法が略同寸法に設定されており、凹溝（６０）の左右方向の幅寸法が、これら第１係合面（７０ａ）の幅寸法および第２係合面（７０ｂ）の厚み寸法よりも僅かに大きく設定されており、
各サイド棚（４２）が、係合部（７０）の第１係合面（７０ａ）が凹溝（６０）の受け面（６１）に臨み、その商品載置面が上方に向く使用姿勢と、係合部（７０）の第２係合面（７０ｂ）が凹溝（６０）の受け面（６１）で受け止められて、その商品載置面が左右内方に向く垂直姿勢との間で、姿勢変位可能に構成されている請求項３記載のオープンショーケース。
【請求項５】
メイン棚（４１）の不用意な回転を規制するためのロック機構（３０）が設けられている請求項１ないし４のいずれかに記載のオープンショーケース。
【請求項６】
商品棚（１９）を前記収納姿勢で保持して、不用意な前後のスライド移動を規制するためのスライド規制手段（３３）が設けられている請求項１ないし５のいずれかに記載のオープンショーケース。
【発明の詳細な説明】
【技術分野】
【０００１】
本発明は、前方開口を有する陳列室と、陳列室内に配されて商品が載置される商品棚と、商品棚の荷重を受ける棚受部材と、陳列室内を冷却するための冷却手段とを具備するオープンショーケースに関する。
【背景技術】
【０００２】
スーパーマーケット、コンビニエンスストア、駅売店などには、缶コーヒ、缶ジュース、お茶、栄養ドリンク等の清涼飲料品や、缶ビール、チューハイ、日本酒等のアルコール飲料品等の商品を棚に載置した状態で、これら商品を冷却するオープンショーケースが設置されている。特にコンビニエンスストアや駅売店においては、昼間と夜間とで売れ行きが異なる商品があるため、棚に載置する商品を昼間と夜間とで入れ替えることがある。
【０００３】
具体的には、アルコール飲料品は夜間の時間帯での売れ行きはよいが、昼間の時間帯では売れ行きは芳しくない。一方、清涼飲料品は、夜間の時間帯よりも昼間の時間帯の方が売れ行きがよい。このような状況に合わせて、駅売店やコンビニエンスストア等では、昼間の時間帯は清涼飲料品をオープンショーケースの棚に載置しておき、夕方になると清涼飲料品を棚から降ろしてアルコール飲料品に入れ替え、朝になると再び棚上の商品を清涼飲料品に入れ替えることがある。しかし、このように朝夕に商品を入れ替える作業は、多くの時間と手間が掛かるうえ、体力的に大きな作業負担が掛かる。
【０００４】
この対策としては、特許文献１に示すような回転棚装置をオープンショーケースに適用することが考えられる。これによれば、商品棚の前部に昼間の時間帯に売れ行きのよい清涼飲料品を載置し、商品棚の後部に夜間の時間帯に売れ行きのよいアルコール飲料品を載置することで、夕方になると商品棚を回転させてその前後を切り替えるだけで、陳列室のの前側にアルコール飲料品を陳列し、朝になると商品棚を再び回転させるだけで、陳列室の前側に清涼飲料品を陳列させることができる。これにて、商品の入れ替え作業に要する手間と時間とを大幅に削減することができる。
【０００５】
【特許文献１】実開昭５６−１１３７２６号公報（図１−図３）
【発明の開示】
【発明が解決しようとする課題】
【０００６】
特許文献１では、陳列室とは別個に、商品棚を回転させるための専用スペースを備えるため（特許文献１の図２参照）、オープンショーケースの前後の厚み寸法が大きくなって、ショーケースが大型化する不利がある。この問題は、載置できる商品の個数を増やすために商品棚の左右幅寸法を大きくした場合に顕著となる。つまり、商品棚の左右幅寸法を大きくすると、回転半径が大きくなることが避けられられず、これに合わせて商品棚を回転するための専用スペースが大きくする必要があり、結果としてショーケースの厚み寸法が大きくなる。
【０００７】
商品棚を陳列室の前方へ引き出してそこで回転させるようにすれば、上記のような専用スペースを廃して、ショーケースの厚み寸法の増加を防ぐことができる。しかしこの場合には、商品棚を回転操作し得るだけの十分な空間を、オープンショーケースの前方に確保する必要があり、売場面積の小さなコンビニエンスストア等にあっては、ショーケースの周囲に配される他の商品陳列棚の配置自由度が低下する不利があった。
【０００８】
本発明の目的は、商品棚の回転機能を備えたオープンショーケースにおいて、商品棚を前方へ引き出すことなく、陳列室内で回転操作できるようにすること、およびこのように商品棚を収納姿勢のままで回転操作できるようにしたことにしたことに伴う、全体寸法の増加を最小限化することにある。
【課題を解決するための手段】
【０００９】
本発明に係るオープンショーケースは、前方開口を有する陳列室２と、陳列室２内に配されて商品８が載置される商品棚１９と、商品棚１９の荷重を受ける棚受部材１７と、陳列室２内を冷却するための冷却手段４とを具備する。商品棚１９は、棚受部材１７との間に配された回転機構１８を介して、水平姿勢を維持しながら回転できるように構成されており、商品棚１９は、回転機構１８で回転可能に支持されるメイン棚４１と、該メイン棚４１の左右端部に着脱可能に装着されるサイド棚４２・４２とで構成されており、回転機構１８によるメイン棚４１の回転中心（Ｏ）とメイン棚４１の最外形部とで規定されるメイン棚４１の回転半径（Ｒ１）と、回転中心（Ｏ）とサイド棚４２のコーナー部とで規定されるサイド棚４２を含む商品棚１９の回転半径（Ｒ２）と、回転中心（Ｏ）と陳列室２の左右側面９ａ・９ｂとの間隔距離（ｄ１）とが、（Ｒ１）＜（ｄ１）＜（Ｒ２）の関係を満たしており、サイド棚４２・４２を取り外したとき、左右側面９ａ・９ｂと干渉することなく、陳列室２内においてメイン棚４１を回転させることができるように構成されていることを特徴とする。
なお、「メイン棚４１の最外形部」とは、メイン棚４１が長方形状を呈している場合には、そのコーナー部を意味し、要は回転半径（Ｒ１）を規定する回転中心（Ｏ）から最も離れた部位を示す。
【００１０】
陳列室２内に収納された後方の収納位置と、陳列室２の前方開口から引き出された引き出し位置との間で、商品棚１９を前後方向にスライド操作するためのスライド機構１４を具備し、商品棚１９を引き出し位置まで引き出したとき、サイド棚４２・４２を装着したままで、商品棚１９の全体を回転させることができるように構成することができる。
【００１１】
商品棚１９に、各サイド棚４２の商品載置面がメイン棚４１の左右の側面に沿い、且つ各サイド棚４２の左右端面が上方に指向する垂直姿勢で、取り外されたサイド棚４２・４２を保持するための姿勢保持構造を設けることができる。
【００１２】
商品棚１９は、左右横長の長方形状のメイン棚４１と、該メイン棚４１の左右端部に着脱自在に装着される前後横長の長方形状のサイド棚４２・４２とで構成されており、メイン棚４１の前後寸法は、サイド棚４２・４２の前後寸法と等しく設定されていて、メイン棚４１とサイド棚４２・４２の商品載置面を面一状としたサイド棚４２・４２の使用姿勢において、商品棚１９は全体として左右横長の長方形状を呈しており、前記姿勢保持構造が、メイン棚４１の短辺に沿って、該メイン棚４１の商品載置面に対して段付き状に凹み形成された、上方に指向する受け面６１を有する断面コ字状の凹溝６０と、サイド棚４２・４２の長辺端部に沿って下向きに突設されて、前記使用姿勢において下向きに指向する第１係合面７０ａと、左右内向きに指向する第２係合面７０ｂとを備える係合部７０とで構成されており、係合部７０の第１係合面７０ａの左右方向の幅寸法と第２係合面７０ｂの上下方向の厚み寸法が略同寸法に設定されており、凹溝６０の左右方向の幅寸法が、これら第１係合面７０ａの幅寸法および第２係合面７０ｂの厚み寸法よりも僅かに大きく設定されており、各サイド棚４２が、係合部７０の第１係合面７０ａが凹溝６０の受け面６１に臨み、その商品載置面が上方に向く使用姿勢と、係合部７０の第２係合面７０ｂが凹溝６０の受け面６１で受け止められて、その商品載置面が左右内方に向く垂直姿勢との間で、姿勢変位可能に構成されている形態を採ることができる。
【００１３】
メイン棚４１の不用意な回転を規制するためのロック機構３０を設けることができる。
【００１４】
商品棚１９を前記収納姿勢で保持して、不用意な前後のスライド移動を規制するためのスライド規制手段３３を設けることができる。
【発明の効果】
【００１５】
本発明においては、サイド棚４２・４２を取り外したとき、左右側面９ａ・９ｂと干渉することなく、陳列室２内においてメイン棚４１を回転させることができるようにした。したがって、サイド棚４２上の商品８を除いたうえで、サイド棚４２を取り外せば、陳列室２内においてメイン棚４１を回転させて、メイン棚４１の前後を入れ替えることができる。しかるに、例えば商品棚１９の前側に昼間の時間帯に売れ行きのよい商品８を配置し、商品棚１９の後側に夜間の時間帯に売れ行きのよい商品８を配置しておき、朝夕に上記の手順でメイン棚４１を回転させるだけで、昼夜の時間帯に合わせて陳列室２の前側に陳列される商品８を入れ替えることができ、商品８の入れ替えに要する時間および手間の軽減化を図って、作業者負担を小さくできる。また、陳列室２内で商品棚１９（メイン棚４１）を回転させる形態であるから、ショーケースの前方の回転スペースを必要とせず、本発明に係るオープンショーケースは、売場面積が小さいコンビニエンスストアや、売店前の通路が狭い駅売店などに設置されて好適である。
【００１６】
また、サイド棚４２・４２を取り外して、回転半径を小さくしたうえで（Ｒ２→Ｒ１）商品棚１９（メイン棚４１）を回転させる形態であるから、回転操作時における後方の回転スペースを小さくできる。したがって商品棚１９の回転機能を設けたことに伴うオープンショーケースの前後寸法の増大化を最小限化することができ、従来の特許文献１のような専用の回転スペースを備える形態に比べて、オープンショーケースの前後厚み寸法の増加を抑えて、全体寸法のコンパクト化に貢献できる。
【００１７】
サイド棚４２・４２の左右幅を大きくした場合には、回転操作時におけるメイン棚４１の回転に要する回転スペースが小さくできるものの、回転操作時に取り除く商品数が増えて、作業効率が低下する不利がある。このため、サイド棚４２・４２の左右幅は可及的に小さくすることが好ましい。尤も、後方の回転スペースを小さくしたい場合には、サイド棚４２・４２の左右幅を大きくして、メイン棚４１の回転半径Ｒ１を小さくしてもよく、いずれの形態を採った場合でも、商品棚１９上に載置できる商品量が少なくなることはなく、商品陳列能力が損なわれる不利は生じない。
【００１８】
本発明に係るオープンショーケースには、陳列室２内に収納された後方の収納位置と、陳列室２の前方開口から引き出された引き出し位置との間で、商品棚１９を前後方向にスライド操作するためのスライド機構１４を与えることができる。これによれば、オープンショーケースの前側に商品棚１９を引き出して回転させるのに十分なスペースがあるときには、商品棚１９を陳列室２から引き出し、サイド棚４２・４２を装着したままで商品棚１９の全体を回転させることができる。これによれば、商品８を商品棚１９から除くことなく、商品棚１９の入れ替え作業を行うことができるので、作業者負担のより一層の軽減化を図ることができる。
【００１９】
商品棚１９に、各サイド棚４２の商品載置面がメイン棚４１の左右の側面に沿い、且つ各サイド棚４２の左右端面が上方に指向する垂直姿勢で、取り外されたサイド棚４２・４２を保持するための姿勢保持構造が設けられていると、陳列室２内におけるメイン棚４１の回転操作時に、サイド棚４２・４２をメイン棚４１の左右の側面に垂直姿勢で置いたままで、回転操作を行うことができる。サイド棚４２・４２を地面に置く必要がなく衛生的でもある。またサイド棚４２・４２を紛失するおそれを一掃できる利点もある。
【００２０】
具体的には、姿勢保持構造を、メイン棚４１の短辺に沿って、該メイン棚４１の商品載置面に対して段付き状に凹み形成された、上方に指向する受け面６１を有する断面四角溝状の凹溝６０と、サイド棚４２・４２の長辺端部に沿って下向きに突設されて、前記使用姿勢において下向きに指向する第１係合面７０ａと、左右内向きに指向する第２係合面７０ｂとを備える断面四角形状の係合部７０とで構成することができる。これによれば、比較的簡単な構成で、確実にサイド棚４２を垂直姿勢に姿勢保持することができ、姿勢保持構造を与えたことに伴う製造コストの増加を抑えることができる。
【００２１】
メイン棚４１の不用意な回転を規制するためのロック機構３０が設けられていると、いたずらなどにより、商品棚１９が回転操作されることを防ぐことができる。商品棚１９が不用意に回転し、ぐら付くことも規制できる。
同様に、商品棚１９を前記収納姿勢で保持して、不用意な前後のスライド移動を規制するためのスライド規制手段３３が設けられていると、いたずらなどにより、商品棚１９がスライド操作されることを効果的に防ぐことができる。商品棚１９が不用意にスライドし、ぐら付くことも規制できる。
【発明を実施するための最良の形態】
【００２２】
本発明に係るオープンショーケースの実施形態を図１ないし図１２に基づいて説明する。オープンショーケースは、図４に示すように、ショーケース本体１内に設けられて前方開口を有する陳列室２と、陳列室２内に配されて、商品８が載置される商品棚１９と、陳列室２内を冷却する冷却手段４とを有する。
【００２３】
冷却手段４は、陳列室２の上側前部に設けた空気吹出口５と、陳列室２の下側前部に設けた空気吸込口６と、ショーケース本体１の外周壁７と陳列室２の後面９ｃとの間に設けられて冷気を陳列室２内へ循環させるための循環路１０と、循環路１０内に配置された送風ファン１１および熱交換器１２等からなる。循環路１０の下端側が空気吸込口６に繋がっており、循環路１０の上端側が空気吹出口５に繋がっている。ショーケース本体１の外周壁７は、断熱構造になっている。
【００２４】
そして、送風ファン１１の送風作用によって、熱交換器１２で冷却された冷気が空気吹出口５から陳列室２内へ下向きに吹き出し、陳列室２内の空気が空気吸込口６から循環路１０内へ吸い込まれて熱交換器１２に循環する。これにて、陳列室２の前面にエアーカーテンが形成されるとともに、陳列室２内に冷気が供給されて陳列室２内が冷却され、商品棚上の商品８が冷却される。ショーケース本体１の下部に設けた機械室１３内には、冷却手段４の一部としての圧縮機や凝縮器や膨張弁等が配置されており、これらは管路を介して熱交換器１２に接続される。陳列室２の天井面等には照明具が配置され、ショーケース本体１の上部前面には、陳列室２内の温度等を設定するための操作スイッチや表示装置等を有する操作部が配置される。
【００２５】
図４に示すように陳列室２の内部には、上下方向に四段の商品棚１９が配置されており、各商品棚１９には、缶コーヒ等の清涼飲料品や缶ビール等のアルコール飲料品等の商品８（図１）が載置される。図４において、符号３は、商品棚１９を支持する支持構造を示す。各支持構造３は、陳列室２の後面９ｃに固定された左右一対のブラケット１５と、これらブラケット１５に対して前後方向にスライド変位可能に構成された左右一対の可動レール１６と、左右の可動レール１６間に掛け渡された状態で固定される棚受部材１７と、棚受部材１７の上面に固定されて、商品棚１９を回転可能に支持する回転台１８とで構成される。各ブラケット１５は、陳列室２の左右方向を区画する左右の側面９ａ・９ｂに近接対向する位置に配されており、これらブラケット１５と可動レール１６とで、本発明のスライド機構１４を構成する。また、回転台１８が本発明の回転機構を構成する。
【００２６】
各ブラケット１５の後端には、図４に示すように、複数個（図示例では上下一対）の係止片２１が後方に突設されている。陳列室２の後面９ｃには、上下方向に伸びる左右一対の棚柱２２を配置してあり、各棚柱２２の前面には、多数のスリットを上下方向に所定間隔をあけて並べて設けてある。各棚柱２２のスリットから所要の高さ位置のスリットを適宜選んで、該スリットに各ブラケット１５の係止片２１をそれぞれ差し込み係合することにより、各ブラケット１５を、任意の高さ位置において片持ち状に支持（固定）されることができる。
【００２７】
各可動レール１６は、図５に示すように、ブラケット１５に固定される固定レール部２４と、上下二段のローラ部２５・２５を介して固定レール部２４に支持される可動レール部２６とからなり、可動レール部２６に棚受部材１７が固定される。これにて棚受部材１７の上方に配される商品棚１９は、可動レール１６がブラケット１５内に収まって、陳列室２内に位置する後方の収納位置（図１および図２参照）と、陳列室２の前方に引き出された引き出し位置（図３参照）との間でスライド変位させることができる。
【００２８】
棚受部材１７は、図５ないし図７に示すように、左右方向に伸びる前後一対のアングル２７・２７と、可動レール１６の可動レール部２６に固定されるとともに上端に両アングル２７・２７の左右端が固定される左右一対の連結材２８・２８と、前側のアングル２７に固定されて後述するロック機構３０を構成するストッパー３１と、後ろ側のアングル２７に固定されて後述するスライド規制手段を構成する被吸着体３４とからなる。被吸着体３４は、左右方向に伸びており、上向きに折れ曲がる後端部３４ａを有する。
【００２９】
回転台１８は、図５および図８に示すように、棚受部材１７の両アングル２７・２７の上面に取り付けられる下板部３７と、商品棚１９の下面に取り付けられる上板部３８と、下板部３７と上板部３８との間に介在するベアリング部３９とからなり、商品棚１９を水平姿勢を維持した状態で回転可能に支持する。
【００３０】
商品棚１９は、図８および図９に示すように、回転台１８の上板部３８に取り付けられる左右横長の長方平板状のメイン棚４１と、該メイン棚４１の左右端部に着脱自在に装着される前後横長の長方平板状のサイド棚４２・４２と、メイン棚４１の下面に固定されてメイン棚４１およびサイド棚４２・４２を裏打ち状に補強・支持する前後一対の補強材４３・４３とを含む。図５に示すようにメイン棚４１とサイド棚４２・４２の両商品載置面を面一状としたサイド棚４２・４２の装着状態（使用姿勢）において、商品棚１９は全体として左右横長の長方形状を呈している。補強材４３・４３は、サイド棚４２・４２が、これの商品載置面上に載置された商品８で撓むことを阻止することを主目的とする。
【００３１】
メイン棚４１およびサイド棚４２・４２は、四角平板状の金属板にプレス成形を施してなる。これらメイン棚４１およびサイド棚４２・４２には、各サイド棚４２の商品載置面がメイン棚４１の左右の側面に沿い、且つ各サイド棚４２の左右端面が上方に指向する垂直姿勢で、取り外されたサイド棚４２・４２を保持するための姿勢保持構造が設けられている。かかる姿勢保持構造は、メイン棚４１側の凹溝６０と、サイド棚４２側に形成されて、該凹溝６０に係合される係合部７０とで構成される。
【００３２】
具体的には、図５に示すように、メイン棚４１の左右端縁（短辺）には凹溝６０が形成されている。凹溝６０はメイン棚４１の商品載置面に対して段付き状に凹み形成されて、上方に指向する受け面６１を有する断面コ字状を呈している。各サイド棚４２の左右の端縁（長辺）には、その左右端部に沿って下向きに突設されて、使用姿勢において下向きに指向する第１係合面７０ａと、左右内向きに指向する第２係合面７０ｂとを有する断面コ字状の係合部７０が形成されている。係合部７０の第１係合面７０ａの左右方向の幅寸法と、第２係合面７０ｂの上下方向の厚み寸法が略同寸法に設定されており、凹溝６０の左右方向の幅寸法は、これら第１係合面７０ａの幅寸法および第２係合面７０ｂの厚み寸法よりも僅かに大きく設定されている。
【００３３】
そして、図５に示すように、係合部７０の第１係合面７０ａが凹溝６０の受け面６１に臨むように下方に向けたうえで、凹溝６０内に係合部を嵌め込むことで、サイド棚４２がメイン棚４１に連結されて、サイド棚４２を使用姿勢とすることができる。また、図１０に示すように、サイド棚４２の商品載置面が左右内方に向く垂直姿勢として、第２係合面７０ｂを下方に向けたうえで、該第２係合面７０ｂから凹溝６０内に係合部７０を嵌め込むことで、サイド棚４２を垂直姿勢に固定保持することができる。かかる垂直姿勢においては、第１係合溝７０ｂが凹溝６０の側面に接触ないし近接対向して、サイド棚４２が倒れることを防止している。サイド棚４２の前後端および外側の縁には、商品落下防止用の立壁が形成されている。
【００３４】
商品棚１９の前側の補強材４３の前端下面および後ろ側の補強材４３の後端下面には、図９および図１１に示すように、取付材４４がそれぞれ固定されている。各取付材４４は、左右方向に伸びており、各取付材４４の前後の縁のうち、一方の縁は補強材４３の前後の外側まで伸びた状態で上向きに折れ曲がっており、他方の縁は下向きに折れ曲がっている。取付材４４の上向きの折れ曲がり部分に、商品名や値段等を記載した札を係止するためのプラスチック製のクリップ４５が係止される。各補強材４３の前後の縁のうち、一方の縁は上向きに折れ曲がってメイン棚４１よりも上側まで伸びており、これにてメイン棚４１上に載置された商品８がメイン棚４１の前後端から転落することを防いでいる。
【００３５】
商品棚１９の前後方向の中央には、図９に示すように、左右方向に伸びる棒材からなる仕切り材５１が配置される。商品棚１９のサイド棚４２・４２の縁部には、それぞれ複数個の凹み５２を前後方向に所定間隔をあけて並べて設けてある。各凹み５２から所要の位置の凹み５２を適宜選んで、該凹み５２に仕切り材５１の左右両端部を係止することにより、仕切り材５１が、任意の前後位置に支持される。
【００３６】
図９および図１１において、符号３０はメイン棚４１の不用意な回転を規制するためのロック機構を示す。ロック機構３０は、ストッパー３１と、各取付材４４の下向きの折れ曲がり部分において左右方向の中央に設けた切り欠き４７とからなる。ストッパー３１は、棚受部材１７の前側のアングル２７の左右方向の中央に固定され、前部（フック部）３１ａが上向きに折れ曲がるフック状に形成される。
【００３７】
ストッパー３１のフック部３１ａが、図１１および図１２に示すように、取付材４４の切り欠き４７に係合することで、商品棚１９が棚受部材１７に係止されて回転不能になる（ロック状態）。フック部３１ａを押し下げて取付材４４の切り欠き４７から外すことで、商品棚１９が回転可能になる（ロック解除）。フック部３１ａは、ポリエチレン等の樹脂でコーティングされており、取付材４４の切り欠き４７に係合することで、商品棚１９のがたつきが防止される。
【００３８】
また、図８おいて符号３３は、商品棚１９を収納姿勢で保持して、不用意な前後のスライド移動を規制するためのスライド規制手段を示す。スライド規制手段３３は、棚受部材１７の後面に配された磁性金属からなる被吸着体３４と、ブラケット１５・１５間に掛け渡された連結金具４９の前面側に取り付けた左右一対の磁石５０・５０（図６参照）とからなる。そして、磁石５０・５０に被吸着体３４の後縁部３４ａが吸着することで、棚受部材が１７が退入位置で保持される。棚受部材１７を磁石５０・５０の磁力に抗して強制的に前方に引っ張ることで、磁石５０・５０による収納位置における保持状態が解除されて、図３のように商品棚１９を引き出し位置まで移動させることができる。商品棚１９を収納位置まで押し込むと、被吸着体３４が磁石５０・５０で吸着されて、前方向への不用意な遊動が規制される。
【００３９】
サイド棚４２・４２をメイン棚４１に装着した状態においては、陳列室２内で商品棚１９を回転操作することはできない。すなわち、商品棚１９の回転中心（Ｏ）とサイド棚４２・４２のコーナー部とで規定されるサイド棚４２を含む商品棚１９の回転半径（Ｒ２：図１参照）は、回転中心（Ｏ）と陳列室２の左右側面９ａ・９ｂとの間隔距離（ｄ１）よりも大きく、したがって、サイド棚４２・４２を装着した状態においては、商品棚１９を収納位置に置いたままで陳列室２内で回転させることはできない。
【００４０】
一方、図２に示すように、サイド棚４２・４２を取り外した状態では、ロック機構３０を解除すれば、メイン棚４１を収納位置で回転させることができる。すなわち、商品棚１９の回転中心（Ｏ）と、垂直姿勢に固定保持されたサイド棚４２・４２を含むメイン棚４１の最外形部（コーナー部）とで規定されるメイン棚４１の回転半径（Ｒ１）は、回転中心（Ｏ）と陳列室２の左右側面９ａ・９ｂとの間隔距離（ｄ１）よりも小さく設定されている。また、回転半径（Ｒ１）は、回転中心（Ｏ）と陳列室２の後面９ｃまでの間隔距離（ｄ２）よりも小さく設定されている。これにて、サイド棚４２・４２を取り外したとき、左右側面９ａ・９ｂおよび後面９ｃと干渉することなく、陳列室２内の収納位置においてメイン棚４１を回転させることができる。かかるメイン棚４１の回転操作を阻害することがないように、サイド棚４２・４２を支持する補強材４３・４３の左右端部のコーナー部をカットして、補強材４３・４３の全体が回転半径（Ｒ１）と略同寸法の回転半径を有する部分円弧状に形成している。なお、図示例では、補強材４３の最外形部から回転中心（Ｏ）までの距離寸法が、メイン棚４１のコーナー部から回転中心（Ｏ）までの距離寸法よりも僅かに大きく設定されており、したがって、前者の寸法が回転半径（Ｒ１）とされている。
【００４１】
一方、図３に示すように、商品棚１９を引き出し位置まで引き出した状態では、陳列室２の前方開口縁とサイド棚４２・４２を含む商品棚１９の回転軌跡とが干渉することがなく、したがってロック機構３０を解除すれば、サイド棚４２・４２を装着したままで、商品棚１９を回転操作することができる。
【００４２】
以上のような構成からなるオープンショーケースにおいては、商品棚１９の前側に、昼間の時間帯に売れ行きのよい缶コーヒー等の清涼飲料品の商品８を載置し、商品棚１９の後側に、夜間の時間帯に売れ行きのよい缶ビール等のアルコール飲料品の商品８を載置する。ロック機構３０により、商品棚１９の不用意な回転、ぐらつきを防止するとともに、スライド規制手段３３により、商品棚１９を収納位置で保持し、不用意に商品棚１９が引き出されるのを防止する。
【００４３】
商品８の前後の入れ替え時間になると、販売者はサイド棚４２・４２上の商品８を取り出し、あるいはメイン棚４１上に移動させたうえで、サイド棚４２・４２をメイン棚４１から取り外し、サイド棚４２・４２の係合部７０を第２係合面７０ｂから凹溝６０内に嵌めこんで、サイド棚４２・４２を垂直姿勢とする（図１０の状態）。次に、販売者は、ロック機構３０を解除したうえで、図２に示すように商品棚１９を回転させて前後の商品８を入れ替える。サイド棚４２・４２の係合部７０を第１係合面７０ａから凹溝６０内に嵌めこんで、サイド棚４２・４２を図５に示すような使用姿勢としてから、商品８をサイド棚４２・４２上に載せる。最後にロック機構３０を作動させて、商品棚１９の回転を規制する。
【００４４】
商品棚１９を陳列室２から引き出して回転させる場合には、販売者は商品棚１９を掴んで、これを磁石５０・５０に抗して前方に引っ張り、商品棚１９を図１の収納位置から図３の引き出し位置まで引き出す。販売者は、ロック機構３０を解除して、図３に示すように商品棚１９を回転させて前後の商品８を入れ替えてから、再びロック機構３０により商品棚１９をロック状態とする。最後に、商品棚１９を図１の収納位置まで押し込む。これにて商品棚１９は、スライド規制手段３３により、自動的にロック保持され、不用意な前方向への商品棚１９のスライド移動が規制される。
【図面の簡単な説明】
【００４５】
【図１】本発明に係るオープンショーケースの要部を示す平面図である。
【図２】陳列室内における商品棚の回転操作を説明するための平面図である。
【図３】商品棚を陳列室から引き出した状態における回転操作を説明するための平面図である。
【図４】オープンショーケースの概略縦断面図である。
【図５】商品棚の要部を示す縦断正面図である。
【図６】商品棚を分解した状態を示す平面図である。
【図７】棚受部材の分解斜視図である。
【図８】図１のＡ−Ａ線断面図である。
【図９】商品棚の分解斜視図である。
【図１０】サイド棚を垂直姿勢にしてメイン棚に垂直姿勢で保持させた状態を示す縦断正面図である。
【図１１】図８のＢ−Ｂ線断面図である。
【図１２】ロック機構の正面図である。
【符号の説明】
【００４６】
１  ショーケース本体
２  陳列室
４  冷却手段
８  商品
１４  スライド機構
１５  ブラケット
１６  可動レール
１７  棚受部材
１８  回転機構（回転台）
１９  商品棚
３０  ロック機構
３３  スライド規制手段
４１  メイン棚
４２  サイド棚
６０  凹溝
６１  受け面
７０  係合部
７０ａ  第１係合面
７０ｂ  第２係合面
ｄ１  商品棚の回転中心と陳列室の左右側面との間隔距離
Ｒ１  メイン棚の回転半径
Ｒ２  サイド棚を含む商品棚の回転半径
【図１】
2009195288.tif 000003
【図２】
2009195288.tif 000004
【図３】
2009195288.tif 000005
【図４】
2009195288.tif 000006
【図５】
2009195288.tif 000007
【図６】
2009195288.tif 000008
【図７】
2009195288.tif 000009
【図８】
2009195288.tif 000010
【図９】
2009195288.tif 000011
【図１０】
2009195288.tif 000012
【図１１】
2009195288.tif 000013
【図１２】
2009195288.tif 000014